(57)【要約】【課題】食器などに付着した液体油を含む汚れに対する洗浄力に優れた食器及び／又は台所周りの硬質物品用液体洗浄剤組成物を提供する。【解決手段】（ａ）ＨＬＢが１０．５以下の非イオン界面活性剤（ただし（ｂ）を除く）、（ｂ）炭素数８以上１８以下の炭化水素基と平均縮合度が０．５以上３以下のグリコシド基を有するグリコシド、及び（ｃ）ｌｏｇＰｏｗが０以上１．５以下の有機溶剤［以下（ｃ）成分という］を含有し、全界面活性剤中の（ａ）の含有量が３０質量％以上９５質量％以下であり、（ａ）の含有量に対する（ｃ）成分の質量比である（ｃ）／（ａ）が２以上８以下であり、２０℃における粘度が２０ｍＰａ・ｓ以下である、食器及び／又は台所周りの硬質物品用液体洗浄剤組成物。【選択図】なし【特許請求の範囲】
【請求項１】
（ａ）ＨＬＢが１０．５以下の非イオン界面活性剤（ただし（ｂ）を除く）［以下（ａ）成分という］、（ｂ）炭素数８以上１８以下の炭化水素基と平均縮合度が０．５以上３以下のグリコシド基を有するグリコシド［以下（ｂ）成分という］、及び（ｃ）ｌｏｇＰｏｗが０以上１．５以下の有機溶剤［以下（ｃ）成分という］を含有し、
全界面活性剤中の（ａ）成分含有量が３０質量％以上９５質量％以下であり、
（ａ）成分の含有量に対する（ｃ）成分の含有量の質量比である（ｃ）／（ａ）が２以上８以下であり、
２０℃における粘度が２０ｍＰａ・ｓ以下である、
食器及び／又は台所周りの硬質物品用液体洗浄剤組成物。
【請求項２】
（ｂ）成分の含有量に対する（ａ）成分の含有量の質量比である（ａ）／（ｂ）が０．５以上１０以下である、請求項１記載の食器及び／又は台所周りの硬質物品用液体洗浄剤組成物。
【請求項３】
（ａ）成分が、アルキル基の炭素数が５以上１０以下の、ＨＬＢが１０．５以下のアルキルグリセリルエーテルである、請求項１又は２記載の食器及び／又は台所周りの硬質物品用液体洗浄剤組成物。
【請求項４】
更に（ｄ１）スルホコハク酸エステル型界面活性剤を含有する、請求項１〜３何れか記載の食器及び／又は台所周りの硬質物品用液体洗浄剤組成物。
【請求項５】
更に（ｅ）金属封鎖剤を含有する請求項１〜４の何れか１項記載の食器及び／又は台所周りの硬質物品用液体洗浄剤組成物。
【請求項６】
請求項１〜５の何れか１項記載の食器及び／又は台所周りの硬質物品用液体洗浄剤組成物を、泡の状態で、食品に由来する液体油を含有する汚れが付着した食器及び／又は台所周りの硬質物品に接触させる、食器及び／又は台所周りの硬質物品の洗浄方法。
【請求項７】
前記食器及び／又は台所周りの硬質物品用液体洗浄剤組成物を、泡比容が１ｍｌ／ｇ以上１００ｍｌ／ｇ以下の泡の状態で食品に由来する液体油を含有する汚れが付着した食器及び／又は台所周りの硬質物品に接触させる、請求項６記載の食器及び／又は台所周りの硬質物品の洗浄方法。
【請求項８】
前記洗浄剤組成物を前記泡の状態で前記食器及び／又は台所周りの硬質物品に接触させた後、外力をかけず放置する、請求項６又は７記載の食器及び／又は台所周りの硬質物品の洗浄方法。
【請求項９】
前記洗浄剤組成物を前記泡の状態で前記食器及び／又は台所周りの硬質物品に接触させた後、外力をかけず放置し、その後、前記食器及び／又は台所周りの硬質物品を水ですすぐ、請求項６〜８の何れか１項記載の食器及び／又は台所周りの硬質物品の洗浄方法。
【請求項１０】
食器及び／又は台所周りの硬質物品がプラスチック製である、請求項６〜９の何れか１項記載の食器及び／又は台所周りの硬質物品の洗浄方法。
【発明の詳細な説明】
【技術分野】
【０００１】
本発明は、食器及び／又は台所周りの硬質物品用液体洗浄剤組成物、並びに食器及び／又は台所周りの硬質物品の洗浄方法に関する。
【背景技術】
【０００２】
食器や調理器具の洗浄には、食器用洗浄剤を、水を含むスポンジなどに浸み込ませ、数回揉みながら泡立てて、対象物を擦り洗いする方法が一般的に行われている。この方法は食品由来の油脂汚れなどの頑固な汚れを落とすために必要な工程と考えられていたが、スポンジのとどかない細かい隙間や奥行きのある容器や器具を洗浄する場合に不便であった。そのような不便さを解決するために、泡状に食器用洗浄剤を対象物に付着させて、擦らなくても一定時間放置後に濯ぐだけで高い洗浄力を有する技術が開発されている。すなわち、従来のようなスポンジを用いて擦り洗いする方法ではなく、泡状にスプレーして放置し、擦らずに洗う方法が提案されている。
【０００３】
特許文献１には、スルホコハク酸アルキルエステルを含有する液体洗浄剤組成物を硬質表面に接触させた後、機械力をかけずに放置する洗浄方法の提案がなされている。
一方、アルキルグリセリルエーテル及びアルキルグリコシドを硬質表面用洗浄剤に応用する技術は特許文献２、特許文献３を参考にすることができる。
【先行技術文献】
【特許文献】
【０００４】
【特許文献１】特開２０１６−１９９７５４号公報
【特許文献２】特開２００５−６０４５０号公報
【特許文献３】特開２００７−３９６２７号公報
【発明の概要】
【発明が解決しようとする課題】
【０００５】
食器及び／又は台所周りの硬質物品のうち、プラスチック製の製品、例えば、ポリプロピレン、ポリエチレンなどの疎水性プラスチック製の製品に付着した、液体油を含む汚れ（以下、液体油汚れという場合もある）は、落としにくい汚れである。
本発明は、食器などに付着した液体油を含む汚れに対する洗浄力と組成物の配合安定性に優れた食器及び／又は台周りの硬質物品用液体洗浄剤組成物を提供する。
【課題を解決するための手段】
【０００６】
本発明は、（ａ）ＨＬＢが１０．５以下の非イオン界面活性剤（ただし（ｂ）を除く）［以下（ａ）成分という］、（ｂ）炭素数８以上１８以下の炭化水素基と平均縮合度が０．５以上３以下のグリコシド基を有するグリコシド［以下（ｂ）成分という］、及び（ｃ）ｌｏｇＰｏｗが０以上１．５以下の有機溶剤［以下（ｃ）成分という］を含有し、
全界面活性剤中の（ａ）成分含有量が３０質量％以上９５質量％以下であり、
（ａ）成分の含有量に対する（ｃ）成分の含有量の質量比である（ｃ）／（ａ）が２以上８以下であり、
２０℃における粘度が２０ｍＰａ・ｓ以下である、
食器及び／又は台所周りの硬質物品用液体洗浄剤組成物に関する。
【０００７】
また、本発明は、前記本発明の食器及び／又は台所周りの硬質物品用液体洗浄剤組成物を、泡の状態で、食品に由来する液体油を含有する汚れが付着した食器及び／又は台所周りの硬質物品に接触させる、食器及び／又は台所周りの硬質物品の洗浄方法に関する。
【発明の効果】
【０００８】
本発明によれば、食器などに付着した液体油を含む汚れに対する洗浄力と組成物の配合安定性に優れた食器及び／又は台所周りの硬質物品用液体洗浄剤組成物が提供される。本発明の液体洗浄剤組成物は、プラスチックなどの疎水性材料からなる物品に付着した液体油汚れを、簡易な方法で、良好に洗浄することができる。
【発明を実施するための形態】
【０００９】
＜食器及び／又は台所周りの硬質物品用液体洗浄剤組成物＞
〔（ａ）成分〕
（ａ）成分は、ＨＬＢが１０．５以下の非イオン界面活性剤（ただし（ｂ）成分を除く）である。
【００１０】
（ａ）成分のＨＬＢは、液体油汚れに対する洗浄力の観点から、好ましくは３以上、より好ましくは４以上、更に好ましくは５以上、そして、好ましくは１０以下、より好ましくは９．５以下、更に好ましくは９以下である。
【００１１】
（ａ）成分のＨＬＢは、グリフィン氏の方法で求められたＨＬＢであり、この方法のＨＬＢ値は、ポリオキシアルキレン型非イオン界面活性剤の場合には下式により求める。
ＨＬＢ値＝２０×（ＭＨ／Ｍ）  ［ＭＨ：親水基部分の分子量、Ｍ：分子量］
親水基部分であるポリオキシアルキレン基のオキシアルキレン基の付加モル数に分布を有する場合には、付加モル数の平均値を用いて親水基部分の分子量を求めることとする。
また、エステル型非イオン界面活性剤の場合には下式により求める。
ＨＬＢ値＝２０×（１−Ｓ／Ａ）  ［Ｓ：エステルのケン化価、Ａ：脂肪酸の酸価］
これらのＨＬＢの計算にあたっては、「油化学  第１３巻  第４号」（１９６４）３６−３９頁、早野茂夫、東京大学生産技術研究所に記載の方法を参考にすることができる。
なお、グリフィン氏の方法ではＨＬＢを求めることができない非イオン界面活性剤については、ＨＬＢは実験によって求めた値を採用するものとする。実験方法は「界面活性剤便覧」産業図書株式会社版、西  一郎ら編集、昭和４１年１月１０日第５刷、３１９頁記載の方法を採用する。
すなわち、（ａ）成分は、グリフィン氏の方法及び前記実験方法で求められたＨＬＢの少なくとも一方が１０．５以下の非イオン界面活性剤である。以下、非イオン界面活性剤についてＨＬＢという場合、特記しない限り、前記の２つの方法で求められたＨＬＢを意味する。
【００１２】
（ａ）成分としては、
（ａ１）アルキル基の炭素数が５以上１０以下の、ＨＬＢが１０．５以下のアルキルグリセリルエーテル〔以下、（ａ１）成分という〕、
（ａ２）炭素数８以上１８以下の脂肪アルコール又は炭素数８以上１８以下の脂肪酸の低級アルコールエステル（低級アルコールの炭素数は１以上３以下）に炭素数２又は３のアルキレンオキシドを平均１モル以上５モル以下付加させた非イオン界面活性剤であって、ＨＬＢが１０．５以下のポリオキシアルキレン型非イオン界面活性剤〔以下、（ａ２）成分という〕、
（ａ３）２以上１０以下のヒドロキシ基を有する多価アルコールと炭素数８以上１８以下の脂肪酸とのエステルであって、ＨＬＢが１０．５以下であるエステルからなる多価アルコールエステル型非イオン界面活性剤〔以下、（ａ３）成分という〕、
（ａ４）炭素数８以上１８以下のアルカノイル基を有するモノ又はジアルカノールアミド（アルカノール基の炭素数は２又は３）又はそのアルキレンオキシド付加物（アルキレンオキシドは炭素数２又は３であり、その平均付加モル数は０超４以下）であって、ＨＬＢが１０．５以下のアルカノールアミド型非イオン界面活性剤〔以下、（ａ４）成分という〕、及び
（ａ５）炭素数８以上１８以下の炭化水素基を有するアミンの炭素数２又は３のアルキレンオキシド付加物であって、ＨＬＢが１０．５以下の非イオン界面活性剤〔以下、（ａ５）成分という〕
から選ばれる一種以上の非イオン界面活性剤が挙げられる。
【００１３】
（ａ１）成分を構成するアルキル基は直鎖でも分岐鎖でもよい。アルキル基の炭素数は、好ましくは６以上、そして、好ましくは９以下である。（ａ１）成分としては、具体的には、デシルグリセリルエーテル、ヘキシルグリセリルエーテル、オクチルグリセリルエーテル、２−エチルヘキシルグリセリルエーテルが挙げられる。
【００１４】
（ａ２）成分を構成する脂肪アルコール又は脂肪酸は、直鎖でも分岐鎖でもよい。該脂肪アルコール又は脂肪酸の炭素数は、それぞれ、好ましくは１０以上、そして、好ましくは１６以下、より好ましくは１４以下である。（ａ２）成分のポリオキシアルキレン基は、平均付加モル数が、好ましくは２以上、そして、好ましくは４以下である。アルキレンオキシドは、炭素数２のアルキレンオキシド及び／又は炭素数３のアルキレンオキシド、すなわちエチレンオキシド及び／又はプロピレンオキシドが好ましく、エチレンオキシドがより好ましい。脂肪酸の低級アルコールエステルとしてはメチルエステル、エチルエステルが好ましい。（ａ２）成分としては、具体的には、炭素数１０以上１４以下の直鎖脂肪アルコールにエチレンオキシドを平均１モル以上４モル以下付加したポリオキシエチレンアルキルエーテル型非イオン界面活性剤、炭素数１０以上１５以下の２級アルコールにエチレンオキシドを平均１モル以上４モル以下付加したポリオキシエチレンアルキルエーテル型非イオン界面活性剤、炭素数１０以上１４以下の脂肪酸のメチルエステルにエチレンオキシドを平均２モル以上５モル以下付加した非イオン界面活性剤が挙げられる。
【００１５】
（ａ３）成分を構成する多価アルコールとしては、ヒドロキシ基の数は、好ましくは３以上、そして、好ましくは６以下である。（ａ３）成分を構成する多価アルコールとしては、グリセリン、ジグリセリン、トリメチロールプロパン、ペンタエリスリトール、ソルビタンなどが挙げられる。また、（ａ３）成分を構成する脂肪酸の炭素数は、好ましくは１０以上、そして、１８以下、好ましくは１４以下である。（ａ３）成分としては、具体的には、グリセリンモノ又はジラウレート、グリセリンモノ又はジステアレート、トリメチロールプロパンのモノ又はジラウレート、ペンタエリスリトールのモノ又はジラウレート、ソルビタンモノラウレートが挙げられる。
【００１６】
（ａ４）成分を構成するアルカノイル基の炭素数は、好ましくは１０以上、そして、好ましくは１６以下、より好ましくは１４以下である。アルカノール基（−ＲＯＨ：Ｒは炭素数２又は３のアルキレン基）の炭素数は２が好ましい。また、アルキレンオキシド付加物である場合は、平均付加モル数は１以上３以下が好ましい。アルキレンオキシドは、炭素数２のアルキレンオキシド及び／又は炭素数３のアルキレンオキシド、すなわちエチレンオキシド及び／又はプロピレンオキシドが好ましく、エチレンオキシドがより好ましい。
【００１７】
（ａ５）成分を構成する炭化水素基の炭素数は、好ましくは１０以上、そして、好ましくは１６以下、より好ましくは１４以下である。（ａ４）成分の炭化水素基はアルキル基が好ましい。アルキレンオキシドは、炭素数２のアルキレンオキシド及び／又は炭素数３のアルキレンオキシド、すなわちエチレンオキシド及び／又はプロピレンオキシドが好ましく、エチレンオキシドがより好ましい。また、アルキレンオキシドの平均付加モル数は１以上４以下が好ましい。
【００１８】
（ａ）成分としては、好ましくは（ａ１）成分である。
【００１９】
本発明の食器及び／又は台所周りの硬質物品用液体洗浄剤組成物は、（ａ）成分として、（ａ１）成分〜（ａ５）成分から選ばれる１種以上の非イオン界面活性剤を含有することが好ましい。更に、本発明の食器及び／又は台所周りの硬質物品用液体洗浄剤組成物は、（ａ）成分として、（ａ１）成分〜（ａ５）成分から選ばれる１種以上の非イオン界面活性剤を含有し、（ａ）成分中、（ａ１）成分〜（ａ５）成分から選ばれる１種以上の非イオン界面活性剤の割合が、３０質量％以上、更に６０％質量％以上、更に９０％質量％以上であることが好ましい。この割合の上限値は１００質量％以下であり、１００質量％であってもよい。
【００２０】
〔（ｂ）成分〕
（ｂ）成分は、炭素数８以上１８以下の炭化水素基と平均縮合度が０．５以上３以下のグリコシド基を有するグリコシドである。
【００２１】
（ｂ）成分の炭化水素基は、アルキル基、アルケニル基が挙げられ、アルキル基が好ましい。（ｂ）成分の炭化水素基、好ましくはアルキル基の炭素数は、好ましくは１０以上、そして、好ましくは１６以下、更に好ましくは１４以下である。（ｂ）成分のグリコシド基の平均縮合度は、好ましくは０．７以上、より好ましくは１以上、そして、好ましくは２．５以下、より好ましくは２以下である。
【００２２】
（ｂ）成分としては、具体的には、平均炭素数が８以上１４以下の直鎖又は分岐アルコールと平均０．８モル以上２．０モル以下のグルコースとが縮合したアルキルグリコシド又はポリアルキルグリコシドが挙げられる。
【００２３】
〔（ｃ）成分〕
（ｃ）成分は、ｌｏｇＰｏｗが０以上１．５以下の有機溶剤である。
（ｃ）成分としては、炭素数２以上、更に炭素数３以上、そして、炭素数１０以下、更に炭素数８以下の有機溶剤が好ましい。また、（ｃ）成分としては、一価アルコール、多価アルコール（グリコールなど）、及びグリコールエーテルから選ばれる有機溶剤が好ましい。
【００２４】
（ｃ）成分のｌｏｇＰｏｗは、好ましくは０．２以上、より好ましくは０．３以上、そして、好ましくは１．２以下、より好ましくは１以下である。
【００２５】
本発明において、ｌｏｇＰｏｗ値とは、水と１−オクタノールに対する有機化合物の親和性を示す係数である。１−オクタノール／水分配係数Ｐは、１−オクタノールと水の２液相の溶媒に微量の化合物が溶質として溶け込んだときの分配平衡で、それぞれの溶媒中における化合物の平衡濃度の比であり、底１０に対するそれらの対数ｌｏｇＰｏｗの形で示すのが一般的である。多くの化合物のｌｏｇＰｏｗ値が報告されており、DaylightChemical Information Systems, Inc. (Daylight CIS)等から入手しうるデータベースには多くの値が掲載されているので参照できる。実測のｌｏｇＰｏｗ値がない場合には、DaylightCISから入手できるプログラム「CLOGP」等で計算することができる。このプログラムは、実測のｌｏｇＰｏｗ値がある場合にはそれと共に、Hansch,Leoのフラグメントアプローチにより算出される「計算ｌｏｇＰｏｗ（ＣｌｏｇＰｏｗ）」の値を出力する。
【００２６】
フラグメントアプローチは化合物の化学構造に基づいており、原子の数及び化学結合のタイプを考慮している（cf.A. Leo, Comprehensive Medicinal Chemistry, Vol.4, C. Hansch,P.G. Sammens, J.B.Taylor and C.A. Ramsden, Eds., p.295, Pergamon Press, 1990）。このＣｌｏｇＰｏｗ値を、化合物の選択に際して実測のｌｏｇＰｏｗ値の代わりに用いることができる。本発明では、ｌｏｇＰｏｗの実測値があればそれを、無い場合はプログラムCLOGP v4.01により計算したＣｌｏｇＰｏｗ値を用いる。
【００２７】
（ｃ）成分としては、（ｃ−１）炭素数１以上３以下の１価アルコール、（ｃ−２）炭素数２以上４以下の多価アルコール、（ｃ−３）アルキレングリコール単位の炭素数が２ないし４のジ又はトリアルキレングリコール、（ｃ−４）アルキレングリコール単位の炭素数が２ないし４のモノ、ジ、トリ又はテトラアルキレングリコールの、モノアルキル（メチル、エチル、プロピル又はブチル）、モノフェニル又はモノベンジルエーテルを挙げることができる。
【００２８】
具体的には（ｃ−１）として、エタノール、イソプロピルアルコール、（ｃ−２）として、イソプレングリコール、（ｃ−４）として、プロピレングリコールモノエチルエーテル、ジエチレングリコールモノブチルエーテル（ブチルジグリコールなどとも称される）、トリエチレングリコールモノブチルエーテル（ブチルトリグリコールなどとも称される）、フェノキシエタノール、フェノキシトリエチレングリコール、フェノキシイソプロパノールが挙げられる。なかでも、エタノール、ジプロピレングリコールモノブチルエーテル、ジエチレングリコールモノブチルエーテル、トリエチレングリコールモノブチルエーテル、フェノキシエタノール、及びフェノキシイソプロパノールから選ばれる有機溶剤が好ましい。
【００２９】
食品由来の液体油汚れの洗浄作用をより高める観点から、（ｃ）成分は、アルコキシ基を有するものが好ましい。更に、本発明の食器及び／又は台所周りの硬質物品用液体洗浄剤組成物は、食品由来の液体油汚れの洗浄作用をより高める観点から、（ｃ）成分として、上記（ｃ−４）から選ばれる一種以上を含むことが好ましく、ジエチレングリコールモノブチルエーテル及びトリエチレングリコールモノブチルエーテルから選ばれる一種以上を含有することが好ましく、ジエチレングリコールモノブチルエーテルを含有することがより好ましい。
【００３０】
〔組成、任意成分等〕
本発明の作用機序に関しては不明であるが以下のように本発明者らは考える。すなわち（ａ）成分は油性成分中に水を乳化・分散させる性質を有するＷ／Ｏ型界面活性剤である。一方、（ｂ）成分はＯ／Ｗ型界面活性剤である。プラスチックのような疎水性表面に付着した液体油に、（ａ）成分のようなＷ／Ｏ型界面活性剤を接触させると（ａ）成分が水を乳化した状態で液体油中に浸透し、疎水性表面と液体油の界面エネルギーを著しく低下するため、（ｂ）成分であるＯ／Ｗ型界面活性剤により疎水性界面から液体油を容易に引きはがすことが可能になる。特に本発明の組成物を泡状で液体油に接触させた場合、（ａ）成分の浸透性、及び（ｂ）成分の外力によらない洗浄性をより高めることが可能となるため、本発明では（ｂ）成分として起泡性に富む界面活性剤を採用する。更に、特定のｌｏｇＰｏｗを有する（ｃ）成分は、（ａ）成分の液体油への浸透性を高める働きを増強する作用を有すると考えられる。これらの作用により、本発明では、食器などに付着した液体油汚れに対する洗浄力が向上し、液体油汚れを外力をかけずに容易に洗浄できるものと考えられる。
【００３１】
本発明の食器及び／又は台所周りの硬質物品用液体洗浄剤組成物は、液体油汚れに対する洗浄力の観点から、（ａ）成分を、好ましくは０．５質量％以上、より好ましくは１質量％以上、更に好ましくは２質量％以上、そして、好ましくは１０質量％以下、より好ましくは８質量％以下、更に好ましくは６質量％以下含有する。
【００３２】
本発明の食器及び／又は台所周りの硬質物品用液体洗浄剤組成物は、起泡性の観点から、（ｂ）成分を、好ましくは０．２５質量％以上、より好ましくは１質量％以上、更に好ましくは２質量％以上、そして、好ましくは１０質量％以下、より好ましくは８質量％以下、更に好ましくは６質量％以下含有する。
【００３３】
本発明の食器及び／又は台所周りの硬質物品用液体洗浄剤組成物は、液体油汚れに対する洗浄力の観点から、（ｃ）成分を、好ましくは０．５質量％以上、より好ましくは１質量％以上、更に好ましくは４質量％以上、そして、好ましくは３０質量％以下、より好ましくは２０質量％以下、更に好ましくは１５質量％以下含有する。
【００３４】
本発明の食器及び／又は台所周りの硬質物品用液体洗浄剤組成物は、液体油汚れに対する洗浄力の観点から、全界面活性剤中の（ａ）成分の割合が、３０質量％以上、好ましくは３０．０質量％以上、より好ましくは３５量％以上、更に好ましくは４０質量％以上、そして、９５質量％以下、好ましくは９０質量％以下、より好ましくは８０質量％以下である。
【００３５】
本発明の食器及び／又は台所周りの硬質物品用液体洗浄剤組成物は、液体油汚れに対する洗浄力の観点から、全界面活性剤中の（ａ）成分及び（ｂ）成分の合計の割合が、好ましくは５０質量％以上、より好ましくは６０質量％以上、更に好ましくは７０質量％以上、より更に好ましくは８０質量％以上、そして、好ましくは１００質量％以下であり、１００質量％であってもよい。
【００３６】
本発明の食器及び／又は台所周りの硬質物品用液体洗浄剤組成物は、液体油汚れに対する洗浄力の観点から、（ａ）成分の含有量に対する（ｃ）成分の含有量の質量比である（ｃ）／（ａ）が２以上８以下である。（ｃ）／（ａ）の質量比は、好ましくは２．０以上、そして、８以下、好ましくは５以下、より好ましくは４以下、更に好ましくは３以下である。
【００３７】
本発明の食器及び／又は台所周りの硬質物品用液体洗浄剤組成物は、液体油汚れに対する洗浄力、及び泡形成直後の起泡力の観点から、（ｂ）成分の含有量に対する（ａ）成分の含有量の質量比である（ａ）／（ｂ）が好ましくは０．５以上１０以下である。（ａ）／（ｂ）の質量比は、好ましくは０．５以上、そして、より好ましくは８以下、更に好ましくは５以下である。
【００３８】
本発明の食器及び／又は台所周りの硬質物品用液体洗浄剤組成物は、起泡性の観点から、界面活性剤の合計含有量が、好ましくは０．５質量％以上、より好ましくは１質量％以上、更に好ましくは３質量％以上、そして、好ましくは２０質量％以下、より好ましくは１５質量％以下、更に好ましくは１０質量％以下である。この界面活性剤の合計含有量は、（ａ）成分及び（ｂ）成分並びに任意のその他の界面活性剤の総量に基づいて算出される。
【００３９】
本発明では（ａ）成分、（ｂ）成分以外の界面活性剤を含有することができるが、本発明の効果を損なわない範囲で用いることが必要である。陰イオン界面活性剤［以下（ｄ）成分という］は、（ａ）成分の液体油への浸透性に影響を及ぼすおそれがあるため、含有する場合には、組成物中の含有量は、好ましくは５質量％以下、より好ましくは４質量％以下、更に好ましくは３質量％以下、より更に好ましくは２質量％以下、より更に好ましくは１質量％以下である。
【００４０】
本発明の食器及び／又は台所周りの硬質物品用液体洗浄剤組成物は、固体脂の洗浄力を向上させる目的から、（ｄ）成分として、（ｄ１）スルホコハク酸エステル型界面活性剤［以下（ｄ１）成分という］を含有することができる。（ｄ１）成分としては、下記一般式（ｄ１）で表されるスルホコハク酸エステル又はその塩が挙げられる。
【００４１】
【化１】
2019210475.tif 000002
【００４２】
〔式中、Ｒ１ｄ、Ｒ２ｄは、それぞれ独立して、炭素数５以上１８以下の直鎖又は分岐鎖炭化水素基である。Ａ１、Ａ２はそれぞれ独立に炭素数２以上４以下のアルキレン基、ｘ、ｙは平均付加モル数であり、それぞれ独立に０以上６以下である。Ｍ１は水素原子又は陽イオンである。〕
【００４３】
一般式（ｄ１）中、Ｒ１ｄ、Ｒ２ｄは、それぞれ独立に、炭素数５以上、好ましくは６以上、より好ましくは７以上、更に好ましくは８以上、そして、炭素数１８以下、好ましくは１６以下、更に好ましくは１４以下の直鎖又は分岐鎖炭化水素基である。Ｒ１ｄ、Ｒ２ｄは、それぞれ独立に、好ましくは分岐鎖のアルキル基である。
一般式（ｄ１）中、Ａ１、Ａ２は、それぞれ独立に、炭素数２以上、そして、炭素数４以下、好ましくは３以下のアルキレン基である。
一般式（ｄ１）中、ｘ、ｙは、平均付加モル数であり、洗浄力の観点から、それぞれ独立に、０以上、そして、６以下、好ましくは４以下、より好ましくは２以下であり、更に好ましくは０である。
また、ｘ＋ｙは、洗浄力の観点から、好ましくは０以上、そして、好ましくは１２以下であり、より好ましくは６以下、更に好ましくは３以下であり、より更に好ましくは０である。
【００４４】
一般式（ｄ１）中、Ｒ１ｄ、Ｒ２ｄは、それぞれ、好ましくは２−エチルヘキシル基、ｓｅｃ−オクチル基、イソペンチル基、イソノニル基、イソデシル基から選ばれるアルキル基であり、更に好ましくはｓｅｃ−オクチル基、イソデシル基、及び２−エチルヘキシル基から選ばれるアルキル基であり、更に好ましくは２−エチルヘキシル基である。
【００４５】
一般式（ｄ１）中、Ｍ１は、水素原子又は陽イオンである。陽イオンとしては、ナトリウムイオン、アンモニウムイオン、カリウムイオン、マグネシウムイオン等の無機陽イオン、モノエタノールアンモニウムイオン、ジエタノールアンモニウムイオン、トリエタノールアンモニウムイオン、モルホリニウムイオン等の有機陽イオンが挙げられる。陽イオンは、好ましくはナトリウムイオン、アンモニウムイオン、カリウムイオン及びマグネシウムイオンから選ばれる無機陽イオンである。
【００４６】
（ｄ１）成分は、Ｒ１ｄ、Ｒ２ｄが同一の化合物の調製方法としては、特に限定されるものではないが、例えば米国特許明細書第２，０２８，０９１号公報に記載の方法を参考して製造することができ、また、Ｒ１ｄ、Ｒ２ｄが異なる非対称の化合物は、例えば特開昭５８−２４５５５号公報を参考して製造することができる。市販の化合物を用いる場合には、花王（株）製ペレックスＯＴ−Ｐ（Ｒ１ｄ、Ｒ２ｄが共に２−エチルヘキシル基である化合物）、ＢＡＳＦ社製ＬｕｅｎｓｉｔＡ−ＢＯ（Ｒ１ｄ、Ｒ２ｄが共に２−エチルヘキシル基である化合物）、東邦化学工業(株)製エアロールＣＴ−１Ｌ（Ｒ１ｄ、Ｒ２ｄが共に２−エチルヘキシル基である化合物）などを用いることができる。（ｄ１）成分の原料として、所定炭素数のアルコールにアルキレンオキシドを付加したものを用いることもできる。
【００４７】
（ｄ１）成分は、液体油汚れに加え、固体脂を含む汚れ（以下、固体脂汚れという場合もある）に対する洗浄力の観点で好ましい成分である。本発明の食器及び／又は台所周りの硬質物品用液体洗浄剤組成物が（ｄ１）成分を含有する場合、液体油汚れ及び固体脂汚れに対する洗浄力の観点から、該組成物は、（ｄ１）成分を、好ましくは０．０１質量％以上、より好ましくは０．０５質量％以上、更に好ましくは０．１質量％以上、より更に好ましくは０．５質量％以上、そして、好ましくは５質量％以下、より好ましくは３質量％以下、更に好ましくは２質量％以下含有する。
【００４８】
（ｄ１）成分以外の（ｄ）成分としては、ポリオキシエチレンアルキルエーテル硫酸エステル塩、アルキル硫酸エステル塩、アルキルベンゼンスルホン酸塩などを挙げることができる。
【００４９】
本発明の食器及び／又は台所周りの硬質物品用液体洗浄剤組成物は、更に（ｅ）金属封鎖剤［以下（ｅ）成分という］を含有することができる。（ｅ）成分としては、クエン酸、エチレンジアミン４酢酸、メチルグリシン２酢酸、Ｌ−グルタミン酸二酢酸、及びこれらの塩、例えばナトリウム塩等が挙げられる。本発明の食器及び／又は台所周りの硬質物品用液体洗浄剤組成物が（ｅ）成分を含有する場合、液体油汚れに対する洗浄力の観点から、該組成物は、（ｅ）成分を、好ましくは０．１質量％以上、より好ましくは０．５質量％以上、更に好ましくは１質量％以上、そして、好ましくは１５質量％以下、より好ましくは１０質量％以下、更に好ましくは５質量％以下含有する。
【００５０】
本発明の食器及び／又は台所周りの硬質物品用液体洗浄剤組成物は、泡の状態で対象物に接触させることが好ましい。そのため、該組成物の起泡性を阻害する成分を用いる場合には注意が必要である。本発明の食器及び／又は台所周りの硬質物品用液体洗浄剤組成物は、（ｃ）成分以外の溶剤を含有することもできるが、パラフィンやテルペン系炭化水素などの炭化水素系溶剤［以下（ｆ）成分という］は、本発明の組成物の起泡性を低下させるためその含有量を制限することが望ましい。本発明の組成物は、（ａ）成分と（ｂ）成分の含有量の合計に対する（ｆ）成分の含有量の質量比である（ｆ）成分／［（ａ）成分＋（ｂ）成分］が、好ましくは０．５以下、より好ましくは０．３以下、更に好ましくは０．１以下である。ここで、（ｆ）成分の炭化水素系溶剤は、パラフィン系溶剤としては炭素数１０以上２０以下のノルマルパラフィン、炭素数１０以上２０以下のイソパラフィンなどを挙げることができ、テルペノイド系溶剤としてはリモネン、テルペン、ピネンなどを挙げることができる。本発明では、パラフィン系溶剤及びテルペノイド系溶剤を（ｆ）成分として、その含有量を前記質量比とすることが好ましい。
【００５１】
本発明の食器及び／又は台所周りの硬質物品用液体洗浄剤組成物は、（ｃ）成分以外の溶剤を含有することもできるが、（ｆ）成分で述べたものと同じ観点で、（ｆ１）ｌｏｇＰｏｗが１．５を超える有機溶剤［以下（ｆ１）成分という］の含有量が少ない方が好ましい。例えば、本発明の食器及び／又は台所周りの硬質物品用液体洗浄剤組成物は、（ｃ）成分の含有量に対する（ｆ１）成分の含有量の質量比である（ｆ１）／（ｃ）が、０．５以下、更に０．３以下、更に０．１以下、更に０であってよい。通常、（ｆ）成分は、ｌｏｇＰｏｗが１．５を超えるため、（ｆ１）成分でもある。
【００５２】
本発明の食器及び／又は台所周りの硬質物品用液体洗浄剤組成物は、ゲル化防止剤、ポリアクリル酸等の増粘剤、香料、染料、顔料、殺菌剤、防腐剤、ｐＨ調整剤などの成分を含有することができる。
【００５３】
本発明の食器及び／又は台所周りの硬質物品用液体洗浄剤組成物は、水を含有する。すなわち、前記（ａ）〜（ｃ）成分及び任意成分以外の残部が水である。本発明の食器及び／又は台所周りの硬質物品用液体洗浄剤組成物は、好適な粘度に調整し、本発明の効果を十分に発揮できる観点から、水を、好ましくは３０質量％以上、より好ましくは５０質量％以上、より好ましくは６０質量％以上、更に好ましくは７０質量％以上、より更に好ましくは８０質量％以上、より更に好ましくは９０質量％以上、そして、好ましくは９９．５質量％以下、より好ましくは９９質量％以下含有する。水は、イオン交換水、滅菌イオン交換水等を使用することが好ましい。
【００５４】
本発明の食器及び／又は台所周りの硬質物品用液体洗浄剤組成物の２５℃におけるｐＨは、手へのマイルド性の観点から、好ましくは２以上、より好ましくは４以上、より好ましくは５以上、そして、好ましくは１０以下、より好ましくは９以下、更に好ましくは８以下である。
【００５５】
本発明では、液体油汚れに対して、外力をかけずとも高い洗浄力を得る目的から、組成物の粘度が重要な因子である。組成物の粘度が高すぎる場合には、組成物が汚れに付着はするものの浸透しにくいため、外力をかけなければ十分な洗浄ができない。本発明では組成物の粘度が適度な範囲にあることで、（ａ）成分、（ｂ）成分及び（ｃ）成分の汚れへの浸透が促進されるため、外力をかけずに高い洗浄力を示すことができる。本発明の組成物を、泡の状態で汚れに接触させた場合には、洗浄力がより顕著に発現するため、泡での適用は好ましい態様である。
【００５６】
本発明の食器及び／又は台所周りの硬質物品用液体洗浄剤組成物の２０℃における粘度は、２０ｍＰａ・ｓ以下、好ましくは１５ｍＰａ・ｓ以下、より好ましくは１０ｍＰａ・ｓ以下、更に好ましくは７ｍＰａ・ｓ以下、より更に好ましくは５ｍＰａ・ｓ以下である。この粘度の下限値は、好ましくは０．５ｍＰａ・ｓ以上、より好ましくは１ｍＰａ・ｓ以上とすることができる。粘度は溶剤やハイドロトロープ剤などで調整することができる。ここで、当該粘度は、以下の方法で測定されたものである。
〔粘度の測定方法〕
ＴＯＫＩＭＥＣ ＩＮＣ．製Ｂ型粘度計モデルＢＭに、ローター番号Ｎｏ．１のローターを備え付けたものを準備する。測定対象の液体洗浄剤組成物を粘度測定用ビーカーに充填し、２０℃の恒温水槽中で充分に温度調節する。組成物の入ったビーカーを粘度計にセットし、ローター回転数を６０ｒ／ｍｉｎとして測定した６０秒後の値を、組成物の粘度とする。
【００５７】
本発明の食器及び／又は台所周りの硬質物品用液体洗浄剤組成物は、泡で食器や台所周りの硬質物品に適用することが好ましい。本発明の組成物から得られる泡は、洗浄力の観点から、泡比容が、好ましくは３０ｍｌ／ｇ以下、より好ましくは２０ｍｌ／ｇ以下、更に好ましくは１０ｍｌ／ｇ以下、より更に好ましくは７ｍｌ／ｇ以下である。泡比容の下限値は、１ｍｌ／ｇ以上、更に２ｍｌ／ｇ以上が好ましい。この観点では、泡は、作製後、一定期間経過後、例えば、作製１分後にこの範囲の泡比容を有することも好ましい。
また、本発明の組成物から得られる泡は、対象物を広く覆うことができる利便性や洗浄力感を期待させる心理的な観点から、好ましくは１０ｍｌ／ｇ以上、より好ましくは１５ｍｌ／ｇ以上、更に好ましくは２０ｍｌ／ｇ以上である。泡比容の上限値は、１００ｍｌ／ｇ以下が好ましい。この観点では、泡は、作成直後にこの範囲の泡比容を有することが好ましい。
ここで、泡比容は下式により計算することができる。
泡比容（ｍＬ／ｇ）＝泡の容量（ｍＬ）／泡の質量（ｇ）
【００５８】
食器及び／又は台所周りの硬質物品に接触させた直後の泡、すなわち吐出直後の泡は、審美的観点、洗浄感を想起させるなどの点から、豊富な泡立ちが好まれ好適であるが、時間の経過とともに泡の嵩が適度に小さくなった方が、（ａ）成分の液体油汚れへの移動性が良好となり洗浄力の観点で好ましい。本発明では、吐出後１分で泡比容（ｍＬ／ｇ）が好ましくは１０以下、より好ましくは７以下になる場合、（ａ）成分の液体油への移動性が好適であり、洗浄効果が向上する。このような泡を形成するためには（ｃ）成分の効果が重要であり、起泡性の界面活性剤である（ｂ）成分に対する相対的な含有量を調整することが好ましい。本発明では、このような観点から、（ｂ）成分の含有量に対する（ｃ）成分の含有量の質量比である（ｃ）／（ｂ）が、好ましくは０．５以上、より好ましくは１以上、更に好ましくは１．２以上、より更に好ましくは１．５以上であり、そして、好ましくは７以下、より好ましくは５以下である。
【００５９】
＜食器及び／又は台所周りの硬質物品の洗浄方法＞
本発明の食器及び／又は台所周りの硬質物品の洗浄方法は、前記本発明の食器及び／又は台所周りの硬質物品用液体洗浄剤組成物を、希釈せずに泡の状態で、食品に由来する液体油を含有する汚れ、例えば液体油と固体脂の複合汚れが付着した食器及び／又は台所周りの硬質物品に接触させる洗浄方法である。この方法は、手や道具の届かない部位や届きにくい細部の洗浄に好適である。
【００６０】
本発明の食器及び／又は台所周りの硬質物品用液体洗浄剤組成物を、食品に由来する液体油を含有する汚れに接触させると、液体油は細かく分断され、浮き上がるように対象物（食器及び／又は台所周りの硬質物品）から剥離される。そのため、本発明の洗浄方法では、擦り洗いなどの外力を加えなくても、例えば所定時間放置した後に対象物を水で濯ぐことで、液体油を容易に洗浄することができる。
【００６１】
本発明の洗浄方法では、前記液体洗浄剤組成物を、希釈せずに泡の状態で、食品に由来する液体油を含有する汚れが付着した食器及び／又は台所周りの硬質物品に接触させ、擦らずに濯ぐことが好ましい。
本発明の洗浄方法では、前記液体洗浄剤組成物を希釈せずに泡状にして、例えば液体油を含む油汚れが付着した、食器及び／又は台所周りの硬質物品と接触させ、機械力などの外力をかけずに洗浄することが好ましい。
本発明の洗浄方法では、前記液体洗浄剤組成物を希釈せずに泡状にして、例えば液体油を含む油汚れが付着した、食器及び／又は台所周りの硬質物品と接触させ、機械力などの外力をかけずに放置して洗浄することが好ましい。
機械力などの外力をかけずに食器及び／又は台所周りの硬質物品を洗浄するとは、例えば、組成物の接触以外に、洗浄のための外力を意図的に対象物に負荷する操作を行わないことである。例えば、接触させた組成物が食器及び／又は台所周りの硬質物品の表面を自然に流下することや、洗浄を意図しない振動が食器及び／又は台所周りの硬質物品に伝わることなどは、機械力などの外力をかけずに食器及び／又は台所周りの硬質物品を洗浄すると理解できる。
前記液体洗浄剤組成物を希釈せずに食品に由来する液体油を含有する汚れが付着した食器及び／又は台所周りの硬質物品と接触させる、とは、該洗浄剤組成物を、意図的に水などで希釈した後、食品に由来する液体油を含有する汚れの付着した食器及び／又は台所周りの硬質物品と接触させないことである。例えば、前記液体洗浄剤組成物を水滴等が付着した食器及び／又は台所周りの硬質物品と接触させたり、前記液体洗浄剤組成物を食器及び／又は台所周りの硬質物品に接触させた後、食器及び／又は台所周りの硬質物品に水滴が付着したりする場合は、前記液体洗浄剤組成物を希釈せずに食品に由来する液体油を含有する汚れが付着した食器及び／又は台所周りの硬質物品と接触させていると理解できる。
放置した後は、硬質物品を水で濯ぐ。濯ぐ際は、手などで外力（物理的力）を掛けてもよく、単に水流で濯いでもよい。
本発明の洗浄方法として、前記液体洗浄剤組成物を、食品に由来する液体油を含有する汚れが付着した食器及び／又は台所周りの硬質物品と泡状にして接触させ、可撓性材料による洗浄、流水による洗浄、及び超音波による洗浄の何れも行わず、機械力などの外力をかけずにそのまま放置する、洗浄方法が挙げられる。つまり、本発明の洗浄方法として、前記液体洗浄剤組成物を、食品に由来する液体油を含有する汚れが付着した食器及び／又は台所周りの硬質物品に泡状にして接触させ、スポンジ等の可撓性材料による摩擦力、自動食器用洗浄機内のシャワー等による流水力、及び超音波による振動の何れも用いることなく、機械力などの外力をかけずにそのまま放置する洗浄方法が挙げられる。
【００６２】
食品に由来する液体油を含有する汚れは、液体油と固体脂とを含む複合汚れであってよい。固体脂は、例えば、常温（例えば２０℃）で固体を呈するものである。前記液体洗浄剤組成物を接触させるときの複合汚れの形態は、液体油と固体脂とが混在した状態であってもよい。本発明の対象とする汚れは、液体油を多く含む油脂汚れであってよい。
【００６３】
本発明では、前記液体洗浄剤組成物の原液をそのまま、つまり組成を変動させることなく、泡状にして食品に由来する液体油を含有する汚れが付着した食器及び／又は台所周りの硬質物品に付着させることが好ましい。例えば、前記液体洗浄剤組成物を、含水したスポンジ等に付着させることなく、泡状にして食品に由来する液体油を含有する汚れが付着した食器及び／又は台所周りの硬質物品に接触させることが好ましい。食器及び／又は台所周りの硬質物品に接触した後は、前記液体洗浄剤組成物の組成が変動してもよい。すなわち、食器及び／又は台所周りの硬質物品に接触した後は、前記液体洗浄剤組成物の組成が希釈又は濃縮されてもよい。
【００６４】
また、本発明の（ａ）成分、（ｂ）成分及び（ｃ）成分を含む濃厚組成物を調製しておき、該濃厚組成物を水で希釈して本発明に用いる液体洗浄剤組成物を調製し、この液体洗浄剤組成物を希釈せずに、食器及び／又は台所周りの硬質物品に泡の状態で接触させてもよい。すなわち、本発明の（ａ）成分、（ｂ）成分及び（ｃ）成分を含有する濃厚組成物を水で希釈して本発明に用いる液体洗浄剤組成物を調製し、該液体洗浄剤組成物を、希釈せずに食品に由来する液体油を含有する汚れが付着した食器及び／又は台所周りの硬質物品と接触させ、機械力などの外力をかけずに洗浄する、食器及び／又は台所周りの硬質物品の洗浄方法であってもよい。
【００６５】
本発明の洗浄方法は、前記液体洗浄剤組成物を、希釈せずに、食品に由来する液体油を含有する汚れが付着した食器及び／又は台所周りの硬質物品に、泡の状態で接触させた後、好ましくは外力をかけず（付与せず）に、放置する。つまり、スポンジ等の可撓性材料や手指等を用いることなく接触させ、機械力などの外力をかけずにそのまま放置する洗浄方法が挙げられる。放置した後は、通常、水で濯ぐ。濯ぐ際は、手などで外力（物理的力）をかけてもよく、単に水流で濯いでもよい。
【００６６】
本発明の洗浄方法として、前記本発明の食器及び／又は台所周りの硬質物品用液体洗浄剤組成物を、泡比容が１ｍｌ／ｇ以上、好ましくは２ｍｌ／ｇ以上、そして、１００ｍｌ／ｇ以下の泡の状態で、食品に由来する液体油を含有する汚れが付着した食器及び／又は台所周りの硬質物品に接触させる、食器及び／又は台所周りの硬質物品の洗浄方法が挙げられる。泡比容は下式により計算することができる。
泡比容（ｍＬ／ｇ）＝泡の容量（ｍＬ）／泡の質量（ｇ）
【００６７】
本発明の洗浄方法では、前記液体洗浄剤組成物を、泡比容（ｍＬ／ｇ）が、好ましくは１０以上、より好ましくは１５以上、更に好ましくは２０以上の状態で食品に由来する液体油を含有する汚れが付着した食器及び／又は台所周りの硬質物品に接触させ、そして、汚れに接触１分後の泡の泡比容（ｍＬ／ｇ）が、好ましくは３０以下、より好ましくは２０以下、更に好ましくは１０以下、より更に好ましくは７以下となることが好適である。
【００６８】
食器及び／又は台所周りの硬質物品に接触させた直後の泡、すなわち吐出直後の泡は、審美的観点、洗浄感を想起させるなどの点から、豊富な泡立ちが好まれ好適であるが、時間の経過とともに泡の嵩が適度に小さくなった方が、（ａ）成分の液体油汚れへの移動性が良好となり洗浄力の観点で好ましい。本発明では、吐出後１分で泡比容（ｍＬ／ｇ）が１０以下、好ましくは７以下になる場合、（ａ）成分の液体油への移動性が好適であり、洗浄効果が向上する。このような泡を形成するためには（ｃ）成分の効果が重要であり、起泡性の界面活性剤である（ｂ）成分に対する相対的な含有量を調整することが好ましい。本発明では、このような観点から、（ｃ）成分／（ｂ）成分の質量比が、好ましくは０．５以上、より好ましくは１以上、更に好ましくは１．２以上、より更に好ましくは１．５以上、より更に好ましくは２以上であり、そして、好ましくは７以下、より好ましくは５以下である。
【００６９】
本発明の洗浄方法では、前記液体洗浄剤組成物を、対象物である食器及び／又は台所周りの硬質物品の面積１００ｃｍ２に対して、好ましくは０．１ｇ以上、より好ましくは０．３ｇ以上、更に好ましくは０．４ｇ以上、そして、好ましくは５ｇ以下、より好ましくは３ｇ以下、更に好ましくは２ｇ以下の割合で接触させる、更に、泡の状態で、塗布又は噴霧することが好ましい。
【００７０】
本発明の洗浄方法では、洗浄力を高める観点から、前記液体洗浄剤組成物を食器及び／又は台所周りの硬質物品に接触後、好ましくは１０秒以上、より好ましくは２０秒以上、更に好ましくは３０秒以上、より更に好ましくは４０秒以上、より更に好ましくは５０秒以上、より更に好ましくは１分以上、そして、同様の観点から、好ましくは６０分以下、より好ましくは３０分以下、更に好ましくは２０分以下、より更に好ましくは１０分以下、より更に好ましくは５分以下、放置する。この場合、泡の状態の前記組成物が最初に食器及び／又は台所周りの硬質物品に接触した時点を放置の開始としてよい。
なお、放置する際の温度は、室温、例えば、１０℃以上３０℃以下が挙げられる。
【００７１】
本発明の洗浄方法では、スプレー手段を用いて、前記液体洗浄剤組成物を、泡の状態として、食品に由来する液体油を含有する汚れが付着した食器及び／又は台所周りの硬質物品に接触させるのが好ましい。スプレー手段から吐出した泡の泡比容が前記範囲であることが好ましく、直後及び１分後の泡比容が前記範囲であることがより好ましい。本発明に用いる液体洗浄剤組成物を、泡形成機構を有するスプレイヤーを具備する容器に充填してなる洗浄剤物品を用いて、前記液体洗浄剤組成物を、泡の状態として、食品に由来する液体油を含有する汚れが付着した食器及び／又は台所周りの硬質物品に接触させるのがより好ましい。本発明は、本発明に用いる前記液体洗浄剤組成物を、泡形成機構を有するスプレイヤーを具備する容器に充填してなる、スプレー容器入り洗浄剤物品を提供する。
【００７２】
前記スプレイヤーを具備する容器は、トリガー式スプレー容器、ポンプ式スプレー容器等の噴射剤を使用しない手動式スプレー装置、噴射剤を用いるエアゾール等が挙げられる。前記スプレイヤーを具備する容器は、内容物を泡状にして噴霧又は塗布することができるトリガー式スプレーが好ましく、泡を形成する機構（泡形成機構）を備えたトリガー式スプレーがより好ましい。
【００７３】
前記スプレー容器入り洗浄剤物品において、泡形成機構を備えたトリガー式スプレーを用いる場合、好ましくはスピンエレメント及び直径４〜８ｍｍの円形状の空間部分に棒状の突起を数個設置された液体通過板を有するものが好適である。ここでスピンエレメントとは、スピンエレメントを通じて液状物の流れにスピンを与え、最後にノズルから噴出する機構であり、その詳細な構造としては特開平８−３３２４２２号公報や特開平８−１０８１０２号公報の図４（ｂ）、特開２００２−６８２６５号公報の図１などを参考にすることができる。
【００７４】
泡形成機構を備えたトリガー式スプレーを用いる場合、前記スプレー容器入り洗浄剤物品は、１回の操作で、好ましくは０．５ｍＬ以上、より好ましくは１ｍＬ以上、そして、好ましくは３０ｍＬ以下、より好ましくは１５ｍＬ以下、更に好ましくは５ｍＬ以下の組成物を噴霧する。
【００７５】
泡形成機構のもう一つの部材である液体通過板は、直径５〜７ｍｍの円形状の空間部分に棒状の突起を好ましくは３〜８個設置されたものであり、通過する板を平面で見た場合に、好ましくは幅０．８〜１．２ｍｍ、長さ２〜４ｍｍの長方形状の棒状の突起が好適である。また、棒状の突起を除いた空間部分に対する棒状の突起の占める面積は、好ましくは３０面積％以上、より好ましくは４０面積％以上、そして、好ましくは９０面積％以下、より好ましくは８０面積％以下、更に好ましくは７０面積％以下であり、このような液体通過板を設置することで、垂直表面への泡の付着滞留性が良好になる。
【００７６】
前記スプレー容器入り洗浄剤物品の容器は、一般に使用されている容器を用いることができる。例えば、ポリエチレンやポリプロピレン、ポリエチレンテレフタレートを原料として得られるものであり、ブロー成形などによって製造することができる。容器の肉厚は底面と側面と異なってもよく、０．０１〜２ｍｍが好ましく、容器の容量は１００〜１０００ｍＬが好ましい。容器に充填される液体洗浄剤組成物の量は、取り扱い上、２００〜５００ｍＬが望ましい。また液の充填は、常識的な空隙を残して行われる。
【００７７】
本発明の洗浄方法は、食器及び／又は台所周りの硬質物品、好ましくは食器を洗浄対象とする。
台所周りの硬質物品は、台所の周辺で使用される物品であり、具体的には、（１）冷蔵庫、食器棚などの食品、食器、調理器具の保存場所、
（２）排水溝、調理台、レンジフード、シンク、ガスレンジ、電子レンジなどの食品の調理場所、及び
（３）前記保存場所や前記調理場所の周辺の床や壁等
である。本発明では、これらを便宜上「台所周りの硬質物品」とする。
また、食器としては、具体的には、
（ｉ）皿、椀等のいわゆる食器、
（ii）タッパー、瓶等の保存容器、
（iii）包丁やまな板、鍋、フライパン、魚焼きグリル等の調理器具、
（iv）フードプロセッサー、ミキサー等の調理家電等
の食材が接触する部材や器具が挙げられる。本発明では、これらを便宜上「食器」とする。
また、本発明の洗浄方法は、食器、保存容器、調理器具、及び調理家電から選ばれる物品を対象とすることが好ましく、更に皿、椀、タッパー、ビン、包丁、まな板、鍋、フライパン、魚焼きグリル、フードプロセッサー、及びミキサーから選ばれる物品を対象とすることがより好ましい。
【００７８】
本発明の洗浄方法の対象とする食器及び／又は台所周りの硬質物品の材質は、プラスチック（シリコーン樹脂などを含む）、金属、陶器、木、及びそれらの組み合わせが挙げられる。そして、本発明の洗浄方法は、これら食器及び／又は台所周りの硬質物品に付着した食品に由来する液体油を含有する汚れを効果的に洗浄することができる。
【００７９】
前述の通り、プラスチックなどの疎水性材料に付着した液体油は落とし難い汚れであるが、本発明では、プラスチック製の食器及び／又は台所周りの硬質物品に付着した液体油に対しても、優れた洗浄効果を示す。本発明は、プラスチック製の食器及び／又は台所周りの硬質物品の洗浄方法として好適である。プラスチックは、ポリプロピレン、ポリエチレンなどのポリオレフィン、ポリメタクリレート、ポリカーボネート、ＡＢＳ樹脂、ポリエチレンテレフタラートなどが挙げられる。
【００８０】
本発明の洗浄方法では、本発明に用いる液体洗浄剤組成物を、希釈せずに泡の状態で、直接食器及び／又は台所周りの硬質物品に接触させる。そして、前記組成物が接触した状態で放置すればよいため、洗浄時において、スポンジ等の可撓性材料による擦り洗いのような外力をかける作業を必ずしも要しない。
そのため、本発明の洗浄方法は、
（１）食品製造機器、冷蔵庫、食器棚などのパイプ、部品及び排水溝、水筒、タンブラー、やかん、ポット等の手洗い洗浄が不便な物品、
（２）食品、食器、調理器具の保存場所、調理台、レンジフード、シンク、ガスレンジ、電子レンジなどの食品の調理場所及びその周辺の床や壁等の台所周り等の食品に由来する液体油を含有する汚れが広範に及ぶ硬質表面を有する物品、
（３）包丁、ピーラー、おろし金、スライサー、ジューサーの羽根、フードプロセッサーの羽根等の手洗い洗浄に危険が伴う物品、
（４）形状が複雑な部分を具備する物品
といった、スポンジ等の可撓性材料を用いた洗浄が困難な物品等にも適用することができる。尚、本発明では、機械力などの外力をかけずに食器及び／又は台所周りの硬質物品を洗浄した後、必要により、擦り洗いを行ってもよい。
更に、本発明の洗浄方法は、泡状の前記液体洗浄剤組成物を食器及び／又は台所周りの硬質物品に塗布してそのまま放置するため、食器及び／又は台所周りの硬質物品に前記組成物を長く留めることができる。
【００８１】
本発明の洗浄方法は、前記液体洗浄剤組成物を接触させた食器及び／又は台所周りの硬質物品を、水で濯ぐ工程、好ましくは前記液体洗浄剤組成物を接触させた食器及び／又は台所周りの硬質物品を、放置後、水で濯ぐ工程を含む。
【００８２】
＜本発明の態様＞
以下に、本発明の態様を例示する。これらの態様には、本発明の食器及び／又は台所周りの硬質物品用液体洗浄剤組成物、及び硬質物品の洗浄方法で述べた事項を適宜適用することができる。
＜１＞
（ａ）ＨＬＢが１０．５以下の非イオン界面活性剤（ただし（ｂ）を除く）［以下（ａ）成分という］、（ｂ）炭素数８以上１８以下の炭化水素基と平均縮合度が０．５以上３以下のグリコシド基を有するグリコシド［以下（ｂ）成分という］、及び（ｃ）ｌｏｇＰｏｗが０以上１．５以下の有機溶剤［以下（ｃ）成分という］を含有し、
全界面活性剤中の（ａ）成分含有量が３０質量％以上９５質量％以下であり、
（ａ）成分の含有量に対する（ｃ）成分の含有量の質量比である（ｃ）／（ａ）が２以上８以下であり、
２０℃における粘度が２０ｍＰａ・ｓ以下である、
食器及び／又は台所周りの硬質物品用液体洗浄剤組成物。
【００８３】
＜２＞
（ｂ）成分の含有量に対する（ａ）成分の含有量の質量比である（ａ）／（ｂ）が０．５以上１０以下、好ましくは８以下、より好ましくは５以下である、＜１＞に記載の食器及び／又は台所周りの硬質物品用液体洗浄剤組成物。
【００８４】
＜３＞
（ａ）成分のＨＬＢが、好ましくは３以上、より好ましくは４以上、更に好ましくは５以上、そして、好ましくは１０以下、より好ましくは９．５以下、更に好ましくは９以下である、＜１＞又は＜２＞に記載の食器及び／又は台所周りの硬質物品用液体洗浄剤組成物。
【００８５】
＜４＞
（ａ）成分が、
（ａ１）アルキル基の炭素数が５以上１０以下の、ＨＬＢが１０．５以下のアルキルグリセリルエーテル〔以下、（ａ１）成分という〕、
（ａ２）炭素数８以上１８以下の脂肪アルコール又は炭素数８以上１８以下の脂肪酸の低級アルコールエステル（低級アルコールの炭素数は１以上３以下）に炭素数２又は３のアルキレンオキシドを平均１モル以上５モル以下付加させた非イオン界面活性剤であって、ＨＬＢが１０．５以下のポリオキシアルキレン型非イオン界面活性剤〔以下、（ａ２）成分という〕、
（ａ３）２以上１０以下のヒドロキシ基を有する多価アルコールと炭素数８以上１８以下の脂肪酸とのエステルであって、ＨＬＢが１０．５以下であるエステルからなる多価アルコールエステル型非イオン界面活性剤〔以下、（ａ３）成分という〕、
（ａ４）炭素数８以上１８以下のアルカノイル基を有するモノ又はジアルカノールアミド（アルカノール基の炭素数は２又は３）又はそのアルキレンオキシド付加物（アルキレンオキシドは炭素数２又は３であり、その平均付加モル数は０超４以下）であって、ＨＬＢが１０．５以下のアルカノールアミド型非イオン界面活性剤〔以下、（ａ４）成分という〕、及び
（ａ５）炭素数８以上１８以下の炭化水素基を有するアミンの炭素数２又は３のアルキレンオキシド付加物であって、ＨＬＢが１０．５以下の非イオン界面活性剤〔以下、（ａ５）成分という〕
から選ばれる一種以上の非イオン界面活性剤である、＜１＞〜＜３＞の何れかに記載の食器及び／又は台所周りの硬質物品用液体洗浄剤組成物。
【００８６】
＜５＞
（ａ）成分が、（ａ１）成分である、＜４＞に記載の食器及び／又は台所周りの硬質物品用液体洗浄剤組成物。
【００８７】
＜６＞
（ａ）成分が、（ａ２）成分である、＜４＞に記載の食器及び／又は台所周りの硬質物品用液体洗浄剤組成物。
【００８８】
＜７＞
（ａ）成分が、（ａ３）成分である、＜４＞に記載の食器及び／又は台所周りの硬質物品用液体洗浄剤組成物。
【００８９】
＜８＞
（ａ）成分が、（ａ４）成分である、＜４＞に記載の食器及び／又は台所周りの硬質物品用液体洗浄剤組成物。
【００９０】
＜９＞
（ａ）成分が、（ａ５）成分である、＜４＞に記載の食器及び／又は台所周りの硬質物品用液体洗浄剤組成物。
【００９１】
＜１０＞
（ａ）成分として、（ａ１）成分〜（ａ５）成分から選ばれる１種以上の非イオン界面活性剤を含有し、（ａ）成分中、（ａ１）成分〜（ａ５）成分から選ばれる１種以上の非イオン界面活性剤の割合が、３０質量％以上、更に６０％質量％以上、更に９０％質量％以上、そして、１００質量％以下である、又は１００質量％である、＜４＞〜＜９＞の何れかに記載の食器及び／又は台所周りの硬質物品用液体洗浄剤組成物。
【００９２】
＜１１＞
（ｂ）成分の炭化水素基が、アルキル基又はアルケニル基である、更にアルキル基である、＜１＞〜＜１０＞の何れかに記載の食器及び／又は台所周りの硬質物品用液体洗浄剤組成物。
【００９３】
＜１２＞
（ｂ）成分の炭化水素基の炭素数が、好ましくは１０以上、そして、好ましくは１６以下、更に好ましくは１４以下である、＜１＞〜＜１１＞の何れかに記載の食器及び／又は台所周りの硬質物品用液体洗浄剤組成物。
【００９４】
＜１３＞
（ｂ）成分のグリコシド基の平均縮合度が、好ましくは０．７以上、より好ましくは１以上、そして、好ましくは２．５以下、より好ましくは２以下である、＜１＞〜＜１２＞の何れかに記載の食器及び／又は台所周りの硬質物品用液体洗浄剤組成物。
【００９５】
＜１４＞
（ｂ）成分が、平均炭素数が８以上１４以下の直鎖又は分岐アルコールと平均０．８モル以上２．０モル以下のグルコースとが縮合したアルキルグリコシド又はポリアルキルグリコシドである、＜１＞〜＜１３＞の何れかに記載の食器及び／又は台所周りの硬質物品用液体洗浄剤組成物。
【００９６】
＜１５＞
（ｃ）成分が、炭素数２以上、更に炭素数３以上、そして、炭素数１０以下、更に炭素数８以下の有機溶剤である、＜１＞〜＜１４＞の何れかに記載の食器及び／又は台所周りの硬質物品用液体洗浄剤組成物。
【００９７】
＜１６＞
（ｃ）成分が、一価アルコール、多価アルコール、及びグリコールエーテルから選ばれる有機溶剤である、＜１＞〜＜１５＞の何れかに記載の食器及び／又は台所周りの硬質物品用液体洗浄剤組成物。
【００９８】
＜１７＞
（ｃ）成分が、炭素数２以上、更に炭素数３以上、そして、炭素数１０以下、更に炭素数８以下の、一価アルコール、多価アルコール、及びグリコールエーテルから選ばれる有機溶剤である、＜１＞〜＜１６＞の何れかに記載の食器及び／又は台所周りの硬質物品用液体洗浄剤組成物。
【００９９】
＜１８＞
（ｃ）成分のｌｏｇＰｏｗが、好ましくは０．２以上、より好ましくは０．３以上、そして、好ましくは１．２以下、より好ましくは１以下である、＜１＞〜＜１７＞の何れかに記載の食器及び／又は台所周りの硬質物品用液体洗浄剤組成物。
【０１００】
＜１９＞
（ｃ）成分が、アルコキシ基を有する有機溶剤である、＜１＞〜＜１８＞の何れかに記載の食器及び／又は台所周りの硬質物品用液体洗浄剤組成物。
【０１０１】
＜２０＞
（ｃ）成分が、（ｃ−１）炭素数１以上３以下の１価アルコール、（ｃ−２）炭素数２以上４以下の多価アルコール、（ｃ−３）アルキレングリコール単位の炭素数が２ないし４のジ又はトリアルキレングリコール、及び（ｃ−４）アルキレングリコール単位の炭素数が２ないし４のモノ、ジ、トリ又はテトラアルキレングリコールの、モノアルキル（メチル、エチル、プロピル又はブチル）、モノフェニル又はモノベンジルエーテルから選ばれる有機溶剤である、＜１＞〜＜１９＞の何れかに記載の食器及び／又は台所周りの硬質物品用液体洗浄剤組成物。
【０１０２】
＜２１＞
（ｃ）成分として、（ｃ−４）から選ばれる一種以上を含有する、更に（ｃ）成分として、ジエチレングリコールモノブチルエーテル及びトリエチレングリコールモノブチルエーテルから選ばれる一種以上を含有する、更に（ｃ）成分として、ジエチレングリコールモノブチルエーテルを含有する、＜２０＞に記載の食器及び／又は台所周りの硬質物品用液体洗浄剤組成物。
【０１０３】
＜２２＞
（ａ）成分を、好ましくは０．５質量％以上、より好ましくは１質量％以上、更に好ましくは２質量％以上、そして、好ましくは１０質量％以下、より好ましくは８質量％以下、更に好ましくは６質量％以下含有する、＜１＞〜＜２１＞の何れかに記載の食器及び／又は台所周りの硬質物品用液体洗浄剤組成物。
【０１０４】
＜２３＞
（ｂ）成分を、好ましくは０．２５質量％以上、より好ましくは１質量％以上、更に好ましくは２質量％以上、そして、好ましくは１０質量％以下、より好ましくは８質量％以下、更に好ましくは６質量％以下含有する、＜１＞〜＜２２＞の何れかに記載の食器及び／又は台所周りの硬質物品用液体洗浄剤組成物。
【０１０５】
＜２４＞
（ｃ）成分を、好ましくは０．５質量％以上、より好ましくは１質量％以上、更に好ましくは４質量％以上、そして、好ましくは３０質量％以下、より好ましくは２０質量％以下、更に好ましくは１５質量％以下含有する、＜１＞〜＜２３＞の何れかに記載の食器及び／又は台所周りの硬質物品用液体洗浄剤組成物。
【０１０６】
＜２５＞
全界面活性剤中の（ａ）成分の割合が、３０質量％以上、好ましくは３０．０質量％以上、より好ましくは３５量％以上、更に好ましくは４０質量％以上、そして、９５質量％以下、好ましくは９０質量％以下、より好ましくは８０質量％以下である、＜１＞〜＜２４＞の何れかに記載の食器及び／又は台所周りの硬質物品用液体洗浄剤組成物。
【０１０７】
＜２６＞
（ｃ）／（ａ）の質量比が、好ましくは２．０以上、そして、好ましくは５以下、より好ましくは４以下、更に好ましくは３以下である、＜１＞〜＜２５＞の何れかに記載の食器及び／又は台所周りの硬質物品用液体洗浄剤組成物。
【０１０８】
＜２７＞
（ｂ）成分の含有量に対する（ｃ）成分の含有量の質量比である（ｃ）／（ｂ）が、好ましくは０．５以上、より好ましくは１以上、更に好ましくは１．２以上、より更に好ましくは１．５以上であり、そして、好ましくは７以下、より好ましくは５以下である、＜１＞〜＜２６＞の何れかに記載の食器及び／又は台所周りの硬質物品用液体洗浄剤組成物。
【０１０９】
＜２８＞
陰イオン界面活性剤［以下（ｄ）成分という］の組成物中の含有量が、好ましくは５質量％以下、より好ましくは４質量％以下、更に好ましくは３質量％以下、より更に好ましくは２質量％以下、より更に好ましくは１質量％以下である、＜１＞〜＜２７＞の何れかに記載の食器及び／又は台所周りの硬質物品用液体洗浄剤組成物。
【０１１０】
＜２９＞
（ｄ）成分として、（ｄ１）スルホコハク酸エステル型界面活性剤［以下（ｄ１）成分という］を含有する、更に、下記一般式（ｄ１）で表されるスルホコハク酸エステル又はその塩を含有する、＜２７＞又は＜２８＞に記載の食器及び／又は台所周りの硬質物品用液体洗浄剤組成物。
【０１１１】
【化２】
2019210475.tif 000003
【０１１２】
〔式中、Ｒ１ｄ、Ｒ２ｄは、それぞれ独立して、炭素数５以上１８以下の直鎖又は分岐鎖炭化水素基である。Ａ１、Ａ２はそれぞれ独立に炭素数２以上４以下のアルキレン基、ｘ、ｙは平均付加モル数であり、それぞれ独立に０以上６以下である。Ｍ１は水素原子又は陽イオンである。〕
【０１１３】
＜３０＞
（ｄ１）成分を、好ましくは０．０１質量％以上、より好ましくは０．０５質量％以上、更に好ましくは０．１質量％以上、より更に好ましくは０．５質量％以上、そして、好ましくは５質量％以下、より好ましくは３質量％以下、更に好ましくは２質量％以下含有する、＜２９＞に記載の食器及び／又は台所周りの硬質物品用液体洗浄剤組成物。
【０１１４】
＜３１＞
全界面活性剤中の（ａ）成分及び（ｂ）成分の合計の割合が、好ましくは５０質量％以上、より好ましくは６０質量％以上、更に好ましくは７０質量％以上、より更に好ましくは８０質量％以上、そして、好ましくは１００質量％以下である、又は１００質量％である、＜１＞〜＜３０＞の何れかに記載の食器及び／又は台所周りの硬質物品用液体洗浄剤組成物。
【０１１５】
＜３２＞
界面活性剤の合計含有量が、好ましくは０．５質量％以上、より好ましくは１質量％以上、更に好ましくは３質量％以上、そして、好ましくは２０質量％以下、より好ましくは１５質量％以下、更に好ましくは１０質量％以下である、＜１＞〜＜３１＞の何れかに記載の食器及び／又は台所周りの硬質物品用液体洗浄剤組成物。
【０１１６】
＜３３＞
更に（ｅ）金属封鎖剤〔以下、（ｅ）成分という〕を含有する、＜１＞〜＜３２＞の何れかに記載の食器及び／又は台所周りの硬質物品用液体洗浄剤組成物。
【０１１７】
＜３４＞
（ｅ）成分を、好ましくは０．１質量％以上、より好ましくは０．５質量％以上、更に好ましくは１質量％以上、そして、好ましくは１５質量％以下、より好ましくは１０質量％以下、更に好ましくは５質量％以下含有する、＜３３＞に記載の食器及び／又は台所周りの硬質物品用液体洗浄剤組成物。
【０１１８】
＜３５＞
（ａ）成分と（ｂ）成分の含有量の合計に対する（ｆ）炭化水素系溶剤［以下（ｆ）成分という］の含有量の質量比である（ｆ）成分／［（ａ）成分＋（ｂ）成分］が、好ましくは０．５以下、より好ましくは０．３以下、更に好ましくは０．１以下である、＜１＞〜＜３４＞の何れかに記載の食器及び／又は台所周りの硬質物品用液体洗浄剤組成物。
【０１１９】
＜３６＞
（ｆ）成分が、パラフィン系溶剤及びテルペノイド系溶剤から選ばれる溶剤である、更に、炭素数１０以上２０以下のノルマルパラフィン、炭素数１０以上２０以下のイソパラフィン、リモネン、テルペン、及びピネンから選ばれる炭化水素系溶剤である、＜３５＞に記載の食器及び／又は台所周りの硬質物品用液体洗浄剤組成物。
【０１２０】
＜３７＞
（ｃ）成分の含有量に対する、（ｆ１）ｌｏｇＰｏｗが１．５を超える有機溶剤［以下（ｆ１）成分という］の含有量の質量比である（ｆ１）／（ｃ）が、０．５以下、更に０．３以下、更に０．１以下、更に０である、＜１＞〜＜３６＞の何れかに記載の食器及び／又は台所周りの硬質物品用液体洗浄剤組成物。
【０１２１】
＜３８＞
水を、好ましくは３０質量％以上、より好ましくは５０質量％以上、より好ましくは６０質量％以上、更に好ましくは７０質量％以上、より更に好ましくは８０質量％以上、より更に好ましくは９０質量％以上、そして、好ましくは９９．５質量％以下、より好ましくは９９質量％以下含有する、＜１＞〜＜３７＞の何れかに記載の食器及び／又は台所周りの硬質物品用液体洗浄剤組成物。
【０１２２】
＜３９＞
２５℃におけるｐＨが、好ましくは２以上、より好ましくは４以上、より好ましくは５以上、そして、好ましくは１０以下、より好ましくは９以下、更に好ましくは８以下である、＜１＞〜＜３８＞の何れかに記載の食器及び／又は台所周りの硬質物品用液体洗浄剤組成物。
【０１２３】
＜４０＞
２０℃における粘度が、好ましくは１５ｍＰａ・ｓ以下、より好ましくは１０ｍＰａ・ｓ以下、更に好ましくは７ｍＰａ・ｓ以下、より更に好ましくは５ｍＰａ・ｓ以下である、＜１＞〜＜３９＞の何れかに記載の食器及び／又は台所周りの硬質物品用液体洗浄剤組成物。
【０１２４】
＜４１＞
２０℃における粘度が、好ましくは０．５ｍＰａ・ｓ以上、より好ましくは１ｍＰａ・ｓ以上である、＜１＞〜＜４０＞の何れかに記載の食器及び／又は台所周りの硬質物品用液体洗浄剤組成物。
【０１２５】
＜４２＞
泡で、更に、好ましくは３０ｍｌ／ｇ以下、より好ましくは２０ｍｌ／ｇ以下、更に好ましくは１０ｍｌ／ｇ以下、より更に好ましくは７ｍｌ／ｇ以下、そして、好ましくは１ｍｌ／ｇ以上、より好ましくは２ｍｌ／ｇ以上の範囲の泡比容を有する泡で、食器及び／又は台所周りの硬質物品に適用される、＜１＞〜＜４１＞の何れかに記載の食器及び／又は台所周りの硬質物品用液体洗浄剤組成物。
【０１２６】
＜４３＞
前記泡が、作製１分後に、好ましくは３０ｍｌ／ｇ以下、より好ましくは２０ｍｌ／ｇ以下、更に好ましくは１０ｍｌ／ｇ以下、より更に好ましくは７ｍｌ／ｇ以下、そして、好ましくは１ｍｌ／ｇ以上、より好ましくは２ｍｌ／ｇ以上の範囲の泡比容を有する、＜４２＞に記載の食器及び／又は台所周りの硬質物品用液体洗浄剤組成物。
【０１２７】
＜４４＞
泡で、更に、好ましくは１０ｍｌ／ｇ以上、より好ましくは１５ｍｌ／ｇ以上、更に好ましくは２０ｍｌ／ｇ以上、そして、好ましくは１００ｍｌ／ｇ以下の範囲の泡比容を有する泡で、食器及び／又は台所周りの硬質物品に適用される、＜１＞〜＜４３＞の何れかに記載の食器及び／又は台所周りの硬質物品用液体洗浄剤組成物。
【０１２８】
＜４５＞
前記泡が、作製１分後に、好ましくは１０ｍｌ／ｇ以下、より更に好ましくは７ｍｌ／ｇ以下の泡比容を有する、＜４４＞に記載の食器及び／又は台所周りの硬質物品用液体洗浄剤組成物。
【０１２９】
＜４６＞
＜１＞〜＜４５＞の何れかに記載の食器及び／又は台所周りの硬質物品用液体洗浄剤組成物を、泡の状態で、食品に由来する液体油を含有する汚れが付着した食器及び／又は台所周りの硬質物品に接触させる、食器及び／又は台所周りの硬質物品の洗浄方法。
【０１３０】
＜４７＞
前記食器及び／又は台所周りの硬質物品用液体洗浄剤組成物を、泡比容が１ｍｌ／ｇ以上、好ましくは２ｍｌ／ｇ以上、そして、１００ｍｌ／ｇ以下の泡の状態で食品に由来する液体油を含有する汚れが付着した食器及び／又は台所周りの硬質物品に接触させる、＜４６＞に記載の食器及び／又は台所周りの硬質物品の洗浄方法。
【０１３１】
＜４８＞
前記洗浄剤組成物を前記泡の状態で前記食器及び／又は台所周りの硬質物品に接触させた後、外力をかけず放置する、＜４６＞又は＜４７＞に記載の食器及び／又は台所周りの硬質物品の洗浄方法。
【０１３２】
＜４９＞
前記洗浄剤組成物を前記泡の状態で前記食器及び／又は台所周りの硬質物品に接触させた後、外力をかけず放置し、その後、前記食器及び／又は台所周りの硬質物品を水ですすぐ、＜４６＞〜＜４８＞の何れかに記載の食器及び／又は台所周りの硬質物品の洗浄方法。
【０１３３】
＜５０＞
食器及び／又は台所周りの硬質物品がプラスチック製である、＜４６＞〜＜４９＞の何れかに記載の食器及び／又は台所周りの硬質物品の洗浄方法。
【０１３４】
＜５１＞
前記液体洗浄剤組成物を、泡比容（ｍＬ／ｇ）が、好ましくは１０以上、より好ましくは１５以上、更に好ましくは２０以上の状態で食品に由来する液体油を含有する汚れが付着した食器及び／又は台所周りの硬質物品に接触させ、そして、汚れに接触１分後の泡の泡比容（ｍＬ／ｇ）が、好ましくは３０以下、より好ましくは２０以下、更に好ましくは１０以下、より更に好ましくは７以下となる、＜４６＞〜＜５０＞の何れかに記載の食器及び／又は台所周りの硬質物品の洗浄方法。
【０１３５】
＜５２＞
前記液体洗浄剤組成物を、対象物である食器及び／又は台所周りの硬質物品の面積１００ｃｍ２に対して、好ましくは０．１ｇ以上、より好ましくは０．３ｇ以上、更に好ましくは０．４ｇ以上、そして、好ましくは５ｇ以下、より好ましくは３ｇ以下、更に好ましくは２ｇ以下の割合で接触させる、更に、泡の状態で、塗布又は噴霧する、＜４６＞〜＜５１＞の何れかに記載の食器及び／又は台所周りの硬質物品の洗浄方法。
【０１３６】
＜５３＞
前記液体洗浄剤組成物を食器及び／又は台所周りの硬質物品に接触後、好ましくは１０秒以上、より好ましくは２０秒以上、更に好ましくは３０秒以上、より更に好ましくは４０秒以上、より更に好ましくは５０秒以上、より更に好ましくは１分以上、そして、好ましくは６０分以下、より好ましくは３０分以下、更に好ましくは２０分以下、より更に好ましくは１０分以下、より更に好ましくは５分以下、放置する、＜４６＞〜＜５２＞の何れかに記載の食器及び／又は台所周りの硬質物品の洗浄方法。
【実施例】
【０１３７】
下記配合成分を用いて、表１〜４に示す液体洗浄剤組成物を調製し、以下の項目について評価を行った。結果を表１〜４に示す。なお、表１〜４に示す液体洗浄剤組成物は、クエン酸と４８％ＮａＯＨ水溶液により、ｐＨ７（２０℃）に調整した。また、表１〜４中の配合成分の質量％は、全て有効分に基づく数値である。また、表中の「全界面活性剤」の含有量は、（ａ）成分、（ｂ）成分及び（ｄ）成分の合計含有量である。また、表１〜４の組成物は、食器及び／又は台所周りの硬質物品用液体洗浄剤組成物である。
【０１３８】
＊配合成分
・ａ−１：２−エチルヘキシルグリセリルエーテル（ＨＬＢ７．４、ＨＬＢは前記実験方法で求めた値である）、ペネトール  ＧＥ−ＥＨ、花王株式会社
・ａ−２：ポリオキシエチレンアルキルエーテル、アルキル基の炭素数１３、エチレンオキシド平均付加モル数３（ＨＬＢ８．６）、ソフタノール３３、株式会社日本触媒
・ａ−３：ソルビタンモノラウレート（ＨＬＢ８．６）、エマゾールＬ−１０Ｖ、花王株式会社
・ａ−４：グリセリンモノラウレート（ＨＬＢ５．３）、ＬＫＴ  Ｌａｂｏｒａｔｏｒｉｅｓ，  Ｉｎｃ．
・ａ−５：パーム核油脂肪酸ジエタノールアミド（ＨＬＢ５．５、ＨＬＢは前記実験方法で求めた値である）、アミノーンＰＫ−０２Ｓ、花王株式会社
・ａ−６：Ｎ−ラウリル−Ｎ，Ｎ−ジエタノールアミン（ＨＬＢ６．３、ＨＬＢは前記実験方法で求めた値である）、アミート１０２、花王株式会社
・ａ−７：ポリオキシエチレンラウリルアミン、オキシエチレン平均付加モル数５（ＨＬＢ９．８、ＨＬＢは前記実験方法で求めた値である）、アミート１０５、花王株式会社
【０１３９】
（ｂ）成分
・ｂ−１：アルキルグリコシド（Ｃ８〜Ｃ１６のアルキルポリグルコシド、グルコースの縮合度は１〜２、プランタケア２０００ＵＰ、ＢＡＳＦ  ＳＥ社）
【０１４０】
（ｃ）成分
・ｃ−１：ジエチレングリコールモノブチルエーテル（ｌｏｇＰｏｗ  ０．６６）
・ｃ−２：エタノール（ｌｏｇＰｏｗ  ０．０７）
・ｃ−３：トリエチレングリコールモノブチルエーテル（ｌｏｇＰｏｗ  ０．９２）
【０１４１】
（ｃ）成分（（ｃ）成分の比較化合物）
・ｃ’−１：エチレングリコール（ｌｏｇＰｏｗ  −１．４）
・ｃ’−２：プロピレングリコール（ｌｏｇＰｏｗ  −１．１）
【０１４２】
（ｄ）成分（その他の界面活性剤）
・ｄ−１：スルホコハク酸エステル（ジ-２-エチルヘキシルスルホコハク酸ナトリウム、ＡｉｒｒｏｌＣＴ-1Ｋ  東邦化学工業株）
・ｄ−２：ポリオキシエチレンアルキルエーテル硫酸ナトリウム、アルキル基の炭素数１２〜１６、エチレンオキシド平均付加モル数４．０（製品名「ＥＳ−４Ｋ」、花王（株）製）
【０１４３】
（ｆ１）成分
・ｆ−１：ドデカン（ｌｏｇＰｏｗ  ５．５１）
【０１４４】
（１）粘度
ＴＯＫＩＭＥＣ ＩＮＣ．製Ｂ型粘度計モデルＢＭに、ローター番号Ｎｏ．１のローターを備え付けたものを準備した。表の液体洗浄剤組成物を粘度測定用ビーカーに充填し、２０℃の恒温水槽中で充分に温度調節した。組成物の入ったビーカーを粘度計にセットし、ローター回転数を６０ｒ／ｍｉｎとして測定した６０秒後の値を、組成物の粘度とした。
【０１４５】
（２）泡比容
液体洗浄剤組成物を、トリガー式スプレー容器（キュキュットクリア泡スプレー、花王（株）製）に充填し、２００ｍＬメスシリンダー（内径４０ｍｍ）内に３〜１０回スプレーした。スプレー後の２００ｍＬメスシリンダー質量を、４桁天秤を用いて測定し、スプレー前のメスシリンダーの質量との差を、泡塗布量（ｇ）とした（ａ）。吐出直後及び吐出１分後のメスシリンダー内の泡の容量（ｍＬ）を目視で読み取った。吐出直後の泡の容量（ｍＬ）を（ｂ）、吐出１分後の泡の容量（ｍＬ）を（ｂ’）とした。以下の式で泡比容を算出した。泡比容が大きいほど、泡吐出性に優れる。
泡比容（ｍＬ／ｇ）＝〔（ｂ）又は（ｂ’）〕／（ａ）
【０１４６】
（３）配合安定性
調製後の液体洗浄剤組成物を目視観察し、以下の基準で評価した。
○：調製後２５℃で静置し１日後に分離が認められなかった。
×：調製後２５℃で静置し１日後に分離が認められた。
【０１４７】
（４）液体油汚れに対する洗浄力の評価
７５ｍｍ（横）×１００ｍｍ（縦）×１ｍｍ（厚み）のポリプロピレン試験片の質量を４桁天秤で測定した（ｘ）。前記ポリプロピレン試験片の片面に、菜種油の塗付量が０．０８〜０．１２ｇとなるように均一に塗布したものを作成し、汚れピースとした。同汚れピースの質量を４桁天秤で測定した（ｙ）。
液体洗浄剤組成物をトリガー式スプレー容器（キュキュットクリア泡スプレー、花王（株）製）に充填し、汚れピースに５回スプレーした。組成物は泡状で吐出した。組成物の吐出量は合計で約３ｇであった。
吐出した泡と汚れピースを１分間接触させた後、１５秒間水道水で流水すすぎを行った。この時、汚れピースの汚れを付着させた部分は全て泡と接触させた。この条件では、実施例の液体洗浄剤組成物は、泡比容が１０．９〜５５．４ｍＬ／ｇの泡の状態で接触されていた。なお、ここでの泡比容は、前記の方法で測定した泡比容（直後）を、接触した泡の泡比容とみなした。また、流水すすぎの条件は、水道水の温度は２５℃、流速は約４Ｌ／ｍｉｎ、蛇口の開口部の直径は約１５ｍｍであった。開口部から５ｃｍ垂直下に位置する汚れピースに落下してくる水道水に対して汚れピースを４５°になるように持ち、その角度を固定したまま汚れピースの汚れを付着させていない上端部分で流水を受け、汚れピース上を流れる水道水で洗浄部分片面全体をすすいだ。すすぎ終了後、汚れピースを乾燥させた後、４桁天秤で質量を測定した（ｚ）。以下の式で洗浄率を求めた。洗浄率の数値は大きい方が好ましい。
洗浄率（％）＝｛（ｙ）−（ｚ）｝／｛（ｙ）−（ｘ）｝×１００
【０１４８】
（５）固体脂汚れに対する洗浄力の評価
牛脂と菜種油を９：１の質量比で混合したものを作製し、モデル汚れ（固体脂を含む汚れのモデル汚れ、以下同様）とした。３０ｍｍ（横）×８０ｍｍ（縦）×１ｍｍ（厚み）のポリプロピレン試験片の質量を４桁天秤で測定した（ｘ）。前記ポリプロピレン試験片の両面に、下端から５０ｍｍの高さまでモデル汚れを、両面合わせて０．０２〜０．０３ｇとなるように均一に塗布したものを作成し、汚れピースとした。同汚れピースの質量を４桁天秤で測定した（ｙ）。
【０１４９】
液体洗浄剤組成物５０ｇを５０ｍＬ容器（内径３５ｍｍ×高さ６８ｍｍの円柱状）に入れ、次いで汚れピース１枚を同容器内に立て掛けて前記組成物に接触させた。この時、汚れピースの汚れを付着させた部分は、容器内の前記組成物中に全て浸漬した。
【０１５０】
汚れピースを前記容器内の液体洗浄剤組成物に１分間浸漬後、前記汚れピースを取り出し、１分間水道水で流水すすぎをした。この時、流水すすぎの条件は、水道水の温度は２５℃、流速は約４Ｌ／ｍｉｎ、蛇口の開口部の直径は約１５ｍｍであった。開口部から５ｃｍ垂直下に位置する汚れピースに落下してくる水道水に対して汚れピースを４５°になるように持ち、その角度を固定したまま汚れピースの汚れを付着させていない上端部分で流水を受け、汚れピース上を流れる水道水で洗浄部分片面全体をすすいだ。このとき、１０秒毎に表裏を変えて交互にすすいだ。すすぎ終了後、汚れピースを乾燥させた後、４桁天秤で質量を測定した（ｚ）。以下の式で洗浄率を求めた。
洗浄率（％）＝｛（ｙ）−（ｚ）｝／｛（ｙ）−（ｘ）｝×１００
【０１５１】
【表１】
2019210475.tif 000004
【０１５２】
※  配合時に分離したため評価せず（以下同様）。
【０１５３】
【表２】
2019210475.tif 000005
【０１５４】
【表３】
2019210475.tif 000006
【０１５５】
【表４】
2019210475.tif 000007
【０１５６】
表５に本発明の食器及び／又は台所周りの硬質物品用液体洗浄剤組成物の配合例を示す。表５中の成分は表１〜４と同じものである。表５の液体洗浄剤組成物の粘度（ｍＰａ・ｓ／２０℃）は３〜９である。
【０１５７】
【表５】
2019210475.tif 000008
【０１５８】
【表６】
2019210475.tif 000009